(57)【要約】      （修正有）【課題】上縁端部に強化構造を有する紙容器を提供する。【解決手段】収納空間２５と、前記収納空間２５を画設させる周壁２３と、前記収納空間２５に連通される開口部２９と、前記周壁２３に連接されると共に前記開口部２９を画設させる上縁端部２６とを備え、前記上縁端部２６は４辺の側辺部２７及び４つの辺隅部２８を有する。各前記側辺部２７は、前記開口部２９とは反対方向に水平に延伸される第一直線段と、前記第一直線段に連接される垂直段と、前記垂直段に連接されると共に前記周壁の斜め方向に延伸される傾斜段と、前記傾斜段に連接されると共に前記周壁に水平に延伸され且つ前記第一直線段に貼着される第二直線段とを有する。これにより、紙容器２０が堆積高度を減少させ、紙材料を節約させ、強化構造の定型度に優れ、シール機を利用してシーリングを行える等の長所を更に有する。【選択図】図２
0003198161.tif 000002
【実用新案登録請求の範囲】
【請求項１】
収納空間、前記収納空間を画設させる周壁と、前記収納空間に連通する開口部と、前記周壁に連接されると共に前記開口部を画設させる上縁端部とを備え、前記上縁端部は一対づつ対向して設置される４辺の側辺部、及び隣接する２つの前記側辺部にそれぞれ連接される４つの辺隅部を具備する強化構造を有する紙容器であって、
各前記側辺部には、前記開口部とは反対方向に水平に延伸される第一直線段と、前記第一直線段の末端に連接されると共に垂直に下に向けて延伸される垂直段と、前記垂直段の末端に連接されると共に前記周壁の斜め方向に延伸される傾斜段、及び前記傾斜段の末端に連接されると共に前記周壁に水平に延伸され且つ前記第一直線段に貼着される第二直線段とを有することを特徴とする強化構造を有する紙容器。
【請求項２】
各前記辺隅部は、隣接して設置される２辺の側辺部にそれぞれ重置される２枚の補強板を有し、各前記補強板は、各前記側辺部の第一直線段に重置される直線段と、各前記側辺部の垂直段に重置される垂直段と、各前記側辺部の傾斜段に重置される傾斜段とを有することを特徴とする、請求項１記載の強化構造を有する紙容器。
【請求項３】
各前記辺隅部は弧状を呈し、且つ前記開口部とは反対方向に水平に延伸される直線段、及び前記直線段の末端に連接されると共に垂直に下に向けて延伸される第一垂直段を有することを特徴とする、請求項２記載の強化構造を有する紙容器。
【請求項４】
各前記辺隅部は、前記第一垂直段の末端に連接されると共に垂直に上に向けて延伸され且つ前記第一垂直段に貼着される第二垂直段を更に有することを特徴とする、請求項３記載の強化構造を有する紙容器。
【請求項５】
各前記辺隅部は直線状を呈し、且つ前記開口部とは反対方向に水平に延伸される第一直線段、及び前記第一直線段の末端に連接されると共に垂直に下に向けて延伸される第一垂直段を有することを特徴とする、請求項２記載の強化構造を有する紙容器。
【請求項６】
各前記辺隅部は、前記第一垂直段の末端に連接されると共に前記周壁の斜め方向に延伸される傾斜段、及び前記傾斜段の末端に連接されると共に前記周壁に水平に延伸され且つ前記第一直線段に貼着される第二直線段を更に有することを特徴とする、請求項５記載の強化構造を有する紙容器。
【請求項７】
各前記辺隅部は、前記第一垂直段の末端に連接されると共に垂直に上に向けて延伸され且つ前記第一垂直段に貼着される第二垂直段を更に有することを特徴とする、請求項５記載の強化構造を有する紙容器。
【考案の詳細な説明】
【技術分野】
【０００１】
本考案は、紙容器の上縁端部に強化構造を有する紙容器に関する。
【背景技術】
【０００２】
一般的なペーパーカップ、紙皿、紙ボックス等の紙容器は、多くが特定の形状に裁断された状態の紙材料を折り合わせたり成形プレス接着を施して製造される。使用者が力を入れ過ぎて掴持する上縁端部の箇所が変形しないようにするために、多くの製造メーカーでは紙容器の上縁端部の箇所に強化構造を設置し、紙容器の上縁端部箇所の構造強度を強化させている。
【０００３】
例えば、特許文献１に記載されている紙製梱包箱（特許文献１参照）は、案内面２１と、拘持面２２と、粘着面２３とを含む補強翼を有し、前記粘着面２３が箱体１の外側に粘着され、これにより中空補強縁２が形成される。この設計により前述の紙製箱体の上縁端部の構造強度を強化させるが、但し前記補強翼が十分に長くなければ前記粘着面２３を箱体１の外側壁に粘着させることができず、紙材料の使用量を減らすことができない。
【０００４】
また、特許文献２に記載されている紙容器（例えば、特許文献２参照）は、僅かに下に向けて傾斜する第二外折り片３１と、第二折り重ね片３２と、第二粘着片３３とを有し、前記第二粘着片３３は第二折片３０の底面の外縁に粘着され、即ち形成された容器の外側壁に粘着される。このため、前述の紙容器では同様に紙材料の使用量を削減できない問題を有し、さらには、前記第二外折り片３１が下に向けて傾斜するため、前記第二外折り片３１及び前記第二折り重ね片３２により形成される中空強化構造では、前述の紙容器の堆積高度が増加して運搬しにくくなる。
【０００５】
さらに、特許文献３に記載されている紙容器の辺縁部の強化構造（例えば、特許文献３参照）は、外側片１１Ｂを有し、外側片１１Ｂの外辺縁は外に向けて反対折りに強化片１２Ｂが延出され、長形片１４Ｂが前記強化片１２Ｂ及び前記外側片１１Ｂに連接され、前記強化片１２Ｂの外辺縁は外に向け紙ボックス１０Ｂの外表面に粘着される固定片１５Ｂが延設される。前記強化片１２Ｂは同様に紙ボックス１０Ｂの外側壁に粘着され、このため、前述の紙ボックスは同様に紙材料の使用量を削減できないという問題がある。
【０００６】
最後に、特許文献４に記載されている紙容器開口部の強化構造（例えば、特許文献４参照）は、湾曲面１１が前記容器本体１０Ａの上部の開口部から一体で外に向けて湾曲されて延伸されることで形成される。反対折り縁１２は前記湾曲面１１の外周縁に位置され、支持片１３は前記反対折り縁１２から一体で延伸されることで形成され、粘着部１４は前記支持片１３を前記湾曲面１１に接着させて固定させ、前記湾曲面１１と前記支持片１３との間には中空環１５が形成される。このような弧形の中空環を有する強化構造には定型度の不足という問題がある。即ち、長時間放置されると紙材料が弾性回復力により形状がわずかに変化し、加工も困難である。
【０００７】
そして、前述の従来の各種の紙容器は食物が入れられた収納空間に蓋をすることでしか保存できず、シール機を使用して封印することができず、適用範囲が狭く、改善の余地があった。
【先行技術文献】
【特許文献】
【０００８】
【特許文献１】台湾実用新案出願第２６３９１８号公報
【特許文献２】台湾実用新案出願第Ｍ３０１０１６号公報
【特許文献３】台湾実用新案出願第Ｍ４０４８２８号公報
【特許文献４】台湾実用新案出願第Ｍ４６４４２２号公報
【考案の概要】
【考案が解決しようとする課題】
【０００９】
そこで、本考案者は上記の欠点が改善可能と考え、鋭意検討を重ねた結果、合理的設計で上記の課題を効果的に改善する本考案の提案に到った。
【００１０】
本考案は、以上の実情に鑑みなされたものであって、上記課題解決のため、本考案は、強化構造を有する紙容器を提供することを主目的とする。
【課題を解決するための手段】
【００１１】
上述した課題を解決し、目的を達成するために、本考案に係る強化構造を有する紙容器は、収納空間と、周壁と、開口部と、上縁端部とを備え、前記周壁は前記収納空間を画設させ、前記開口部は前記収納空間に連通され、前記上縁端部は前記周壁に連接されると共に前記開口部を画設させ、前記上縁端部は一対づつ対向して設置される４辺の側辺部、及び隣接する２つの前記側辺部にそれぞれ連接される４つの辺隅部を有する。各前記側辺部は第一直線段と、垂直段と、傾斜段と、第二直線段とを有する。前記第一直線段は前記開口部とは反対方向に水平に延伸される。前記垂直段は前記第一直線段の末端に連接されると共に垂直に下に向けて延伸される。前記傾斜段は前記垂直段の末端に連接されると共に前記周壁の斜め方向に延伸される。前記第二直線段は前記傾斜段の末端に連接されると共に前記周壁に水平に延伸され且つ前記第一直線段に貼着される。
【００１２】
こうして、前記傾斜段と前記第一直線段との間には中空の強化構造が形成され、本考案に係る紙容器が一定の構造強度を有する。また、前記第二直線段が前記第一直線段に直接貼着されることで、紙容器の構造強度を更に強化するのみならず、紙材料の使用量も減少させる上、反発することがなく、定型度に優れる。
【００１３】
さらに、本考案に係る紙容器は前記第一直線段及び第二直線段を有するため、シール機台に置いてシーリングを行え、適用性が広がる。さらには、本考案に係る紙容器は堆積高度も減らし、容積を減らして保存と運搬も便利になる。
【００１４】
本考案の実施形態に係る強化構造を有する紙容器において、各前記側辺部の前記第二直線段の長さと前記第一直線段の長さとの比の範囲は約１：２〜３：４であり、これにより紙容器の構造強度を維持して定型度を高める。
【００１５】
本考案の実施形態に係る強化構造を有する紙容器において、各前記辺隅部は隣接して設置される２つの側辺部にそれぞれ重置される２枚の補強板を更に有し、各前記補強板は各前記側辺部に重置される第一直線段的直線段と、各前記側辺部の垂直段に重置される垂直段と、各前記側辺部の傾斜段に重置される傾斜段とを有する。これにより、辺隅部と側辺部との重畳部分が分離する確率を減らし、構造の安定度を向上させる。
【００１６】
本考案の第１態様に係る強化構造を有する紙容器において、各前記辺隅部は弧状を呈する。また、各前記辺隅部は直線段及び第一垂直段を有し、前記直線段は前記開口部とは反対方向に水平に延出され、前記第一垂直段は前記直線段の末端に連接されると共に垂直に下に向けて延伸される。強化構造を安定させるために、各前記辺隅部には第二垂直段を更に有し、前記第一垂直段の末端に連接されると共に垂直に上に向けて延伸され且つ前記第一垂直段に貼着される。
【００１７】
なお、本考案の第１態様に係る強化構造を有する紙容器において、各前記辺隅部の前記第二垂直段の長さと前記第一垂直段の長さとの比の範囲は約１：２〜１：１である。本考案の第２実施形態に係る紙容器では、各前記辺隅部は直線状を呈し、また、各前記辺隅部は第一直線段及び第一垂直段を有する。前記第一直線段は前記開口部とは反対方向に水平に延出され、前記第一垂直段は前記第一直線段の末端に連接されると共に垂直に下に向けて延伸される。
【００１８】
前記辺隅部が直線状を呈する実施形態において、強化構造を安定させるために、各前記辺隅部は傾斜段及び第二直線段を更に有し、前記傾斜段は前記第一垂直段の末端に連接されると共に前記周壁の斜め方向に延伸され、前記第二直線段は前記傾斜段の末端に連接されると共に前記周壁に水平に延伸され且つ前記第一直線段に貼着される。或いは、各前記辺隅部は第二垂直段を更に有し、前記第一垂直段の末端に連接されると共に垂直に上に向けて延伸され且つ前記第一垂直段に貼着される。
【００１９】
また、本考案の第２態様に係る強化構造を有する紙容器において、各前記辺隅部の前記第二直線段の長さと前記第一直線段の長さとの比の範囲は約１：２〜３：４である。
【考案の効果】
【００２０】
本考案によれば、一定の構造強度を維持させて変形しにくくなるばかりでなく、堆積高度が低く、紙材料の使用量が減少し、強化構造の定型度に優れ、シール機にも適用できる等の長所を更に有する。
【図面の簡単な説明】
【００２１】
【図１】本考案の第１実施形態に係る強化構造を有する紙容器を製造する紙材料料を示す外観斜視図である。
【図２】本考案の第１実施形態に係る強化構造を有する紙容器を示す外観斜視図である。
【図３】図２に示す３―３の断面線に沿ってなる断面模式図で、本考案の第１実施形態の紙容器の側辺部の態様図である。
【図４】図２に示す４―４の断面線に沿ってなる断面模式図で、本考案の第１実施形態の紙容器の辺隅部の態様図である。
【図５】図２に示す５―５の断面線に沿ってなる断面模式図で、本考案の第１実施形態の紙容器の辺隅部及び側辺部が重複される部分の態様図である。
【図６】同図４で、紙容器の辺隅部のみを示す他の態様図である。
【図７】本考案の第２実施形態に係る強化構造を有する紙容器を示す外観傾斜図である。
【図８】図７に示す８―８の断面線に沿ってなる断面模式図で、本考案の第２実施形態の紙容器の側辺部の態様図である。
【図９】本考案の第３実施形態に係る強化構造を有する紙容器を示す外観傾斜図である。
【考案を実施するための形態】
【００２２】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。なお、本明細書において、以下に説明する実施形態及び実用新案登録請求の範囲の請求項中、「上」、「下」、「上部」、「底部」、「内」、「外」等の方向に関係する名詞は、全て図式中の方向を基準とする。次に、以下に説明する実施形態及び図式において、同じ部材符号は同じ或いは近似する部材や構造の特徴を示す。
【００２３】
＜第１実施形態＞
以下、本考案の具体的な実施形態について添付図面に基づき説明する。本考案の第１実施形態では図１に示す紙材料１０を利用し、折り合わせて接着させることで紙容器２０が製造される（図２参照）。
【００２４】
図１に示すように、本実施形態では、前記紙材料１０が裁断されて所定の形状に形成され、且つ内表面１１にはポリエチレン(polyethylene、 PE)或いはポリプロピレン(polypropylene、 PP)材質のプラスチック膜が設置される（図示せず）。さらには、前記紙材料１０には鋳型により所定のパターン形状を呈する複数の破線１２が印圧され、前記紙材料１０には中央部１３と、前記中央部１３を包囲させる４つの辺部１４と、隣接する２つの辺部１４にそれぞれ連接される４つの隅部１５と、各前記辺部１４からそれぞれ外に向けて延伸される４つの翼部１６と、各前記隅部１５からそれぞれ外に向けて延伸される４つの凸部１７が定義され、各前記凸部１７の２つの側縁箇所にはそれぞれ外に向けて補強板１９が凸設され、隣接する各前記辺部１４にそれぞれ対応する。
【００２５】
製造時に、前記紙材料１０は加熱成形プレス方式により、同時にこれら前記破線１２に沿って湾曲し、加熱されたプラスチック膜に粘性を発生させて図２に示す紙容器２０を接着成型させる。圧折接着後に、前記紙材料１０の中央部１３には前記紙容器２０の底壁２１が形成され、前記紙材料１０のこれら前記辺部１４及びこれら前記隅部１５は共に前記紙容器２０の周壁２３を形成させ、前記底壁２１及び前記周壁２３により物体（例えば、食べ物）を収容する収納空間２５が画定される。前記紙材料１０の４つの翼部１６により前記紙容器２０の上縁端部２６の４つの側辺部２７が形成されると共に一対づつ対応して設置される。前記紙材料１０の４つの凸部１７により前記上縁端部２６の４つの辺隅部２８が形成され、且つ各前記補強板１９は各前記翼部１６に重畳され、前記上縁端部２６には前記収納空間２５に連通される開口部２９が画設される。
【００２６】
前記紙材料１０で製造される前記第１実施形態による紙容器２０は、その上縁端部２６の４つの側辺部２７が概ね直線状を呈し、４つの辺隅部２８が概ね弧状を呈する（図２参照）。続いて、図３に示すように、各前記側辺部２７は、前記開口部２９とは反対方向に水平に延出される第一直線段２７１と、前記第一直線段２７１の末端に連接されると共に垂直に下に向けて延伸される垂直段２７３と、前記垂直段２７３の末端に連接されると共に前記周壁２３に向けて傾斜して延伸される傾斜段２７５と、前記傾斜段２７５の末端に連接されると共に前記周壁２３に水平に延伸される第二直線段２７７とを有する。前記第二直線段２７７は紙材料１０自体のプラスチック膜が加熱されることで粘性を発生させて前記第一直線段２７１の底面に貼着される。或いは、前記第二直線段２７７は接着材が塗布されることで前記第一直線段２７１の底面に接着される。
【００２７】
図４に示すように、各前記辺隅部２８は、前記開口部２９とは反対方向に水平に延出される直線段２８１と、前記直線段２８１の末端に連接されると共に垂直に下に向けて延伸される第一垂直段２８３と、前記第一垂直段２８３の末端に連接されると共に垂直に上に向けて延伸される第二垂直段２８５とを有する。前記第二垂直段２８５は紙材料１０自体のプラスチック膜が加熱されることで粘性を発生させて前記第一垂直段２８３の内面に貼着される。或いは、前記第二垂直段２８５は接着材が塗布されて前記第一垂直段２８３の内面に接着される。
【００２８】
前記側辺部２７及び前記辺隅部２８の構造設計により、前記傾斜段２７５と前記第一直線段２７１との間に中空の強化構造が形成されるため、前記紙容器２０が一定の構造強度を有する。なお、前記第二直線段２７７が前記第一直線段２７１に直接貼着されることで、紙容器の構造強度が更に強化されるのみならず、紙材料の使用量も減らす上に、反発しにくく、定型度にも優れる。さらには、前記第一直線段２７１、第二直線段２７７、及び前記辺隅部２８の直線段２８１の設計により、前記紙容器２０は堆積高度が低くなるのみならず、容積も減るため保存と運搬も便利になり、シール機台に載せてシーリングも行え、適用性が更に広がる。
【００２９】
ちなみに、本実施形態では、前記側辺部２７の前記第一直線段２７１の長さは（限定されるわけではない）前記第二直線段２７７の長さの約２倍であり、また、最も好ましくは前記第二直線段２７７の長さと前記第一直線段２７１の長さとの比率は１：２〜３：４の間の範囲であり、前記紙容器２０の側辺部２７に好ましい構造強度を与え、同時に第二直線段２７７が反発して前記第一直線段２７１から脱離するのを回避させ、紙容器２０の構造の安定度（定型度）を高める。また、前記辺隅部２８の前記第一垂直段２８３の長さは（限定されるわけではない）前記第二垂直段２８５の長さにほぼ等しく、また、最も好ましくは前記第二垂直段２８５の長さと前記第一垂直段２８３の長さとの比率は１：２〜１：１の間の範囲であり、前記紙容器２０の辺隅部２８に好ましい構造強度を与え、同時に第二垂直段２８５が反発して前記第一垂直段２８３から脱離するのを防止させ、紙容器２０の構造の安定度（定型度）を高める。
【００３０】
また、前記辺隅部２８と前記側辺部２７との重畳部分は、各前記補強板１９が各前記翼部１６に重畳されることで形成される。各前記補強板１９は、各前記側辺部２７の第一直線段２７１に重置される直線段１９１と、各前記側辺部２７の垂直段２７３に重置される垂直段１９３と、各前記側辺部２７の傾斜段２７５に重置される傾斜段１９５とを有する（図５参照）。これにより、辺隅部２８と側辺部２７との重畳部分が分離するのを防ぎ、構造の安定度を高める。
【００３１】
なお、各前記辺隅部２８の態様は図４に図示する態様に限定されない。例えば、前記辺隅部２８が前記開口部２９とは反対方向に水平に延出される直線段２８１、及び前記直線段２８１の末端に連接されると共に垂直に下に向けて延伸される第一垂直段２８３のみを有してもよい（図６参照）。これにより、一定の構造強度を維持させつつ、紙材料の容積もわずかに減少させて加工しやすくなる。
【００３２】
本考案に係る紙容器の形態は前述の第１実施形態に限られず、図７に示す形態でもよく、以下でさらに説明する。
【００３３】
＜第２実施形態＞
図７は本考案の第２実施形態の紙容器３０を示す外観傾斜図である。前記紙容器３０は第１実施形態と大方同じであり、同様に前記底壁２１と、前記周壁２３と、前記収納空間２５と、前記上縁端部２６とを有する。第２実施形態の紙容器３０と第１実施形態との差異は、前記上縁端部２６の辺隅部３８が直線状を呈する点である。
【００３４】
本実施形態では、前記上縁端部２６の各前記辺隅部３８は、前記開口部２９とは反対方向に水平に延出される第一直線段３８１と、前記第一直線段３８１の末端に連接されると共に垂直に下に向けて延伸される垂直段３８３と、前記垂直段３８３の末端に連接されると共に前記周壁２３に向けて傾斜されて延伸される傾斜段３８５と、前記傾斜段３８５の末端に連接されると共に前記周壁２３に向けて水平に延伸される第二直線段３８７とを有し、前記第二直線段３８７は前記第一直線段３８１の底面に貼着される。即ち、前記辺隅部３８が直線状を呈する場合、前記辺隅部３８の構造は好ましくは前記側辺部２７と同じであり、前記紙容器３０により好ましい構造強度を与える。
【００３５】
ちなみに、本実施形態では、前記辺隅部３８の構造は前記側辺部２７と同じであるが、但し本考案はこれに限定されず、前記辺隅部３８は図４或いは図６に示す構造でもよい。即ち、前記辺隅部３８が前記第一直線段３８１及び前記垂直段３８３のみを有してもよく、或いは、前記辺隅部３８が前記第一直線段３８１と、前記垂直段３８３と、前記垂直段３８３の末端に連接されると共に垂直に上に向けて延伸され且つ前記垂直段３８３に貼着される他の垂直段とを有してもよい。
【００３６】
本実施形態では、前記第一直線段３８１の長さは（限定されるわけではない）前記第二直線段３８７の長さの約２倍であり、また、最も好ましくは前記第二直線段３８７の長さと前記第一直線段３８１の長さとの比率は１：２〜３：４の間の範囲であり、前記紙容器３０の辺隅部３８が更に好ましい構造強度を有し、同時に第二直線段３８７が反発する確率を減らし、紙容器３０の構造の安定度（定型度）を高める。
【００３７】
＜第３実施形態＞
本考案に係る紙容器は、限定されるわけではないが、輪郭は図２及び図７に示すように概ね正方形ないしは八辺形を呈する。換言すれば、図９の本考案の第３実施形態に係る紙容器４０では、輪郭が概ね長方形を呈する。なお、本実施形態による前記辺隅部４８は概ね弧状を呈するが、但し実際には、前記辺隅部４８は直線状を呈してもよい。ちなみに、前記辺隅部４８が弧状を呈する場合、その断面形態は図４或いは図６に示すようになる。前記辺隅部４８が直線状を呈する場合、その断面形態は図４、図６、ないしは図８に示すようになる。
【００３８】
従って、本明細書に開示された実施例は、本考案を限定するものではなく、説明するためのものであり、このような実施例によって本考案の思想と範囲が限定されるものではない。本考案の範囲は特許請求の範囲により解釈すべきであり、それと同等の範囲内にある全ての技術は、本考案の権利範囲に含まれるものと解釈すべきである。
【符号の説明】
【００３９】
１０紙材料
１１内表面
１２破線
１３中央部
１４辺部
１５隅部
１６翼部
１７凸部
１９補強板
１９１直線段
１９３垂直段
１９５傾斜段
２０紙容器
２１底壁
２３周壁
２５収納空間
２６上縁端部
２７側辺部
２７１第一直線段
２７３垂直段
２７５傾斜段
２７７第二直線段
２８辺隅部
２８１直線段
２８３第一垂直段
２８５第二垂直段
２９開口部
３０紙容器
３８辺隅部
３８１第一直線段
３８３垂直段
３８５傾斜段
３８７第二直線段
４０紙容器
４８辺隅部
【図１】
0003198161.tif 000003
【図２】
0003198161.tif 000004
【図３】
0003198161.tif 000005
【図４】
0003198161.tif 000006
【図５】
0003198161.tif 000007
【図６】
0003198161.tif 000008
【図７】
0003198161.tif 000009
【図８】
0003198161.tif 000010
【図９】
0003198161.tif 000011